(57)【特許請求の範囲】
【請求項１】
オーディオ信号を入力する信号入力部と、
第１再生部に前記オーディオ信号を出力する第１出力部と、
前記第１再生部よりも信号が遅延時間だけ遅延する第２再生部に前記オーディオ信号を出力する第２出力部と、
前記オーディオ信号を一時記憶し、一時記憶した信号を読み出して前記第１出力部および第２出力部に出力するバッファと、
を備え、
前記バッファは、
前記第２出力部に向けたバッファ信号の読み出し位置である第２読出位置を、前記第１出力部に向けたバッファ信号の読み出し位置である第１読出位置よりも前記遅延時間先行させることによって、前記第１再生部および前記第２再生部で同期再生を行い、
前記オーディオ信号の出力開始時に、前記バッファされたオーディオ信号の前に前記遅延時間分の無音データを書き込み、前記第１読出位置を無音データの先頭に設定するとともに、前記第２読出位置を前記バッファされたオーディオ信号の先頭に設定して、オーディオ信号の読み出しを開始する
オーディオ機器。
【請求項２】
オーディオ信号を入力する信号入力部と、
第１再生部に前記オーディオ信号を出力する第１出力部と、
前記第１再生部よりも信号が遅延時間だけ遅延する第２再生部に前記オーディオ信号を出力する第２出力部と、
前記オーディオ信号を一時記憶し、一時記憶した信号を読み出して前記第１出力部および第２出力部に出力するバッファと、
を備え、
前記バッファは、
前記第２出力部に向けたバッファ信号の読み出し位置である第２読出位置を、前記第１出力部に向けたバッファ信号の読み出し位置である第１読出位置よりも前記遅延時間先行させることによって、前記第１再生部および前記第２再生部で同期再生を行い、
前記第１出力部のみにオーディオ信号を読み出しているときに、該オーディオ信号の途中から前記第２出力部に向けた読み出しを開始する場合、
前記第１読出位置よりも先行するオーディオ信号が、遅延時間以上バッファされている場合、前記第２読出位置を前記第１読出位置よりも前記遅延時間先行した位置に設定して第２読出位置からの読み出しを開始し、
前記第１読出位置よりも先行するオーディオ信号のバッファ量が、前記遅延時間未満である場合、前記第２読出位置を、バッファしている前記オーディオ信号の最も先行する位置に設定するとともに、第１読出位置を該第２読出位置から前記遅延時間遡った位置に移動させ、先の第１読出位置から前記移動した第１読出位置までのバッファエリアに無音データを書き込んで第１および第２読出位置からのバッファ信号の読み出しを開始する
オーディオ機器。
【請求項３】
前記第１再生部および第２再生部は、伝送レートがそれぞれ異なり、
前記第１再生部用のオーディオ信号をバッファする第１バッファおよび第２再生部用のオーディオ信号をバッファする第２バッファをそれぞれ別に並列に設け、
前記第１読出位置は前記第１バッファに設定され、前記第２読出位置は、前記第２バッファに設定される
請求項１または請求項２に記載のオーディオ装置。
【請求項４】
第１再生部、および、前記第１再生部よりも信号が遅延時間だけ遅延する第２再生部にオーディオ信号を出力して同期再生する方法であって、
入力される入力オーディオ信号をバッファするステップ、
前記入力オーディオ信号の出力開始時に、前記バッファされたオーディオ信号（以下、バッファ信号）の前に前記遅延時間分の無音データを書き込むステップ、
前記第１再生部に向けたバッファ信号の読み出し位置である第１読出位置を前記無音データの先頭に設定するステップ、
前記第２再生部に向けたバッファ信号の読み出し位置である第２読出位置を前記バッファされたオーディオ信号の先頭に設定するステップ、
前記第１、第２読出位置から前記オーディオ信号の読み出しを開始するステップ、
を有する同期再生方法。
【請求項５】
第１再生部、および、前記第１再生部よりも信号が遅延時間だけ遅延する第２再生部にオーディオ信号を出力して同期再生する方法であって、
入力される入力オーディオ信号をバッファするステップ、
前記バッファから前記第１再生部に向けてバッファされたオーディオ信号（以下、バッファ信号）を読み出す第１ステップ、
前記入力オーディオ信号の途中から前記第２再生部に向けたバッファ信号の読み出しを開始する第２ステップ、
を有し、
前記第１再生部に向けたバッファ信号の読み出し位置である第１読出位置よりも先行してオーディオ信号が遅延時間以上バッファされている場合、前記第２ステップは、
前記第２再生部に向けたバッファ信号の読み出し位置である第２読出位置を前記第１読出位置よりも前記遅延時間先行した位置に設定するステップ、
該設定された第２読出位置からの読み出しを開始するステップ
を有し、
前記第１読出位置よりも先行するオーディオ信号のバッファ量が、前記遅延時間未満である場合、前記第２ステップは、
前記第２読出位置を、バッファ信号の最も先行する位置に設定するステップ、
前記第１読出位置を前記第２読出位置から前記遅延時間遡った位置に移動させるステップ、
先の第１読出位置から前記移動した第１読出位置までのバッファエリアに無音データを書き込むステップ、
前記第１および第２読出位置からのバッファ信号の読み出しを開始するステップ、
を有する同期再生方法。
【請求項６】
前記第１再生部および第２再生部は、伝送レートがそれぞれ異なり、
前記入力オーディオ信号をバッファするステップでは、前記第１再生部用のオーディオデータを第１バッファに、前記第２再生部用のオーディオデータを第２バッファに、それぞれ別に並列にバッファし、
前記第１読出位置は、前記第１バッファに設定され、前記第２読出位置は、前記第２バッファに設定される
請求項４または請求項５に記載の同期再生方法。
【発明の詳細な説明】
【技術分野】
【０００１】
この発明は、オーディオ信号を複数の機器で同期して再生する方法に関する。
【背景技術】
【０００２】
マスタのオーディオ機器で再生されたオーディオ信号を他の複数のオーディオ機器で再生するシステムが提案されている。この場合、マスタの機器から他のオーディオ機器へはそれぞれ異なる伝送手段でオーディオ信号が伝送される場合がある。
【先行技術文献】
【特許文献】
【０００３】
【特許文献１】特開２００６−０７４３７４号公報
【発明の概要】
【発明が解決しようとする課題】
【０００４】
それぞれ異なる伝送手段は、全て同じ性能であるとは限らなず、たとえば、遅延の大小や伝送レートなどがそれぞれ異なっている場合が多い。このようにそれぞれ異なる複数の伝送手段にオーディオ信号をそのまま入力していたのでは、遅い系統では音が遅れて同期が取れないという問題点がある。
【０００５】
そこで、本発明の目的は、オーディオ信号の伝送手段の性能に合わせて同期をとることにより、複数のオーディオ機器で同期した再生を可能にすることにある。
【課題を解決するための手段】
【０００６】
本発明のオーディオ機器は、オーディオ信号を入力する信号入力部と、第１再生部にオーディオ信号を出力する第１出力部と、第１再生部よりも信号が遅延時間Ｔｄだけ遅延する第２再生部にオーディオ信号を出力する第２出力部と、オーディオ信号を一時記憶し、一時記憶した信号を読み出して第１出力部および第２出力部に出力するバッファと、を備える。バッファは、第２出力部に向けたバッファ信号の読み出し位置である第２読出位置を、第１出力部に向けたバッファ信号の読み出し位置である第１読出位置よりも遅延時間Ｔｄ先行させることによって第１再生部および第２再生部で同期再生を行う。オーディオ信号の出力開始時には、バッファされたオーディオ信号の前に遅延時間Ｔｄ分の無音データを書き込み、第１読出位置を無音データの先頭に設定するとともに、第２読出位置をバッファされたオーディオ信号の先頭に設定して、オーディオ信号の読み出しを開始する。
【０００７】
本発明のオーディオ機器は、オーディオ信号を入力する信号入力部と、第１再生部にオーディオ信号を出力する第１出力部と、第１再生部よりも信号が遅延時間Ｔｄだけ遅延する第２再生部にオーディオ信号を出力する第２出力部と、オーディオ信号を一時記憶し、一時記憶した信号を読み出して第１出力部および第２出力部に出力するバッファと、を備える。バッファは、第２出力部に向けたバッファ信号の読み出し位置である第２読出位置を、第１出力部に向けたバッファ信号の読み出し位置である第１読出位置よりも遅延時間Ｔｄ先行させることによって第１再生部および第２再生部で同期再生を行う。第１出力部のみにオーディオ信号を読み出しているときに、そのオーディオ信号の途中から第２出力部に向けた読み出しを開始する場合には以下の処理を行う。第１読出位置よりも先行する（後に読み出される）オーディオ信号が、遅延時間Ｔｄ以上バッファされている場合、第２読出位置を第１読出位置よりも遅延時間Ｔｄ先行した位置に設定して第２読出位置からの読み出しを開始する。第１読出位置よりも先行するオーディオ信号のバッファ量が、遅延時間Ｔｄ未満である場合、第２読出位置をバッファしているオーディオ信号の最も先行する（新しい）位置に設定するとともに、第１読出位置をこの第２読出位置から遅延時間Ｔｄ遡った位置に移動させ、先の第１読出位置から今回移動した第１読出位置までのバッファエリアに無音データを書き込んで第１および第２読出位置からのバッファ信号の読み出しを開始する。
【０００８】
上記発明において、第１再生部および第２再生部の伝送レートがそれぞれ異なる場合、第１再生部用のオーディオ信号をバッファする第１バッファおよび第２再生部用のオーディオ信号をバッファする第２バッファをそれぞれ別に並列に設け、第１読出位置が第１バッファに設定され、第２読出位置が第２バッファに設定されてもよい。
【０００９】
本発明の同期再生方法は、第１再生部、および、第１再生部よりも信号が遅延時間Ｔｄだけ遅延する第２再生部にオーディオ信号を出力して同期再生する方法であって、入力される入力オーディオ信号をバッファするステップ、入力オーディオ信号の出力開始時に、バッファされたオーディオ信号（バッファ信号）の前に遅延時間Ｔｄ分の無音データを書き込むステップ、第１再生部に向けたオーディオ信号の読み出し位置である第１読出位置を無音データの先頭に設定するステップ、第２再生部に向けたバッファ信号の読み出し位置である第２読出位置をバッファ信号の先頭に設定するステップ、第１、第２読出位置からバッファ信号の読み出しを開始するステップを有する。
【００１０】
本発明の同期再生方法は、第１再生部、および、第１再生部よりも信号が遅延時間Ｔｄだけ遅延する第２再生部にオーディオ信号を出力して同期再生する方法であって、入力される入力オーディオ信号をバッファするステップ、バッファから第１再生部に向けてバッファされたオーディオ信号（バッファ）を読み出す第１ステップ、オーディオ信号の途中から第２再生部に向けた読み出しを開始する第２ステップを有する。第２ステップの詳細は、以下のようである。第１再生部に向けたバッファ信号の読み出し位置である第１読出位置よりも先行してオーディオ信号が遅延時間Ｔｄ以上バッファされている場合、第２ステップは、第２再生部に向けたバッファ信号の読み出し位置である第２読出位置を第１読出位置よりも遅延時間Ｔｄ先行した位置に設定するステップ、設定された第２読出位置からバッファ信号の読み出しを開始するステップを有する。第１読出位置よりも先行するオーディオ信号のバッファ量が遅延時間Ｔｄ未満である場合、第２ステップは、第２読出位置をバッファ信号の最も先行する位置に設定するステップ、第１読出位置を第２読出位置から遅延時間Ｔｄ遡った位置に移動させるステップ、先の第１読出位置から今回移動した第１読出位置までのバッファエリアに無音データを書き込むステップ、第１および第２読出位置からバッファ信号の読み出しを開始するステップを有する。
【００１１】
上記発明において、第１再生部および第２再生部の伝送レートがそれぞれ音質が異なる場合、第１再生部用のオーディオデータを第１バッファに、第２再生部用のオーディオデータを第２バッファにそれぞれ別に並列にバッファし、第１読出位置が第１バッファに設定され、第２読出位置が第２バッファに設定されてもよい。
【発明の効果】
【００１２】
この発明によれば、異なる性能の伝送手段で接続されている複数のオーディオ機器で同期した再生が可能になる。
【図面の簡単な説明】
【００１３】
【図１】この発明の実施形態であるオーディオシステムの構成図
【図２】同無線オーディオシステムのマスタ機器のブロック図
【図３】マスタ機器のバッファの構成図
【図４】バッファの読み出し方式を説明する図
【発明を実施するための形態】
【００１４】
図１はこの発明の実施形態であるオーディオシステム１の構成図である。また、図２はマスタ機器１０のブロック図である。
【００１５】
オーディオシステム１は、マスタ機器１０、パワードスピーカ１１（第１再生部）、および、１台または複数台のスレーブ機器１２（第２再生部）を有している。マスタ機器１０およびスレーブ機器１２は、ネットワーク３を介してコントローラ４によって制御される。マスタ機器１０およびスレーブ機器１２は、グループ化されており、マスタ機器１０で再生されたオーディオ信号が、スレーブ機器１２においても同期して放音される。
【００１６】
マスタ機器１０にはオーディオソース２が供給される。マスタ機器１０は、たとえばレシーバであり、入力したオーディオソース２を増幅してパワードスピーカ１１に出力する。マスタ機器１０とパワードスピーカ１１とは、デジタルケーブル等で接続されており、高品質なデジタル信号の伝送が可能である。パワードスピーカ１１は、高品質なオーディオ信号を入力してデコードおよびアナログ変換して増幅且つ放音する。また、スレーブ機器１２は、たとえばワイヤレススピーカであり、マスタ機器１０とは、ネットワーク３経由で接続される。ネットワーク３はＷｉ−Ｆｉなどの無線ＬＡＮを含んでいる。マスタ機器１０からスレーブ機器１２へは中程度の品質でオーディオ信号が伝送される。マスタ機器１０は、中程度の音質を確保するためスレーブ機器１２に対して再送制御を行うユニキャスト方式（例えばＴＣＰ）でオーディオ信号を伝送する。図１には、スレーブ機器１２を２台記載しているが、１台のマスタ機器１０に対してスレーブ機器１２を９台まで接続可能である。ここで、高品質のオーディオ信号とは、例えば１９２ｋｂｐｓ／２４ビットの信号であり、中品質のオーディオ信号とは、例えば４８ｋｂｐｓ／１６ビットである。
【００１７】
オーディオソース２は、たとえばＤＬＮＡサーバ、ＵＳＢ接続の記憶メディア（ハードディスク、半導体メモリなど）から供給される。供給されるオーディオソース２のファイル形式は、たとえばＦＬＡＣファイルなどであり、高品質のオーディオ信号（１９２ｋｂｐｓ／２４ビット）の条件を満たすものである。
【００１８】
図２は、マスタ機器１０であるレシーバのブロック図である。マスタ機器１０は、制御部２０、デコーダ２１、サンプリンレートコンバータ（ＳＲＣ）２２、バッファ２３、２４、信号出力部２５（第１出力部）、および、無線ＬＡＮ通信部２６(第２出力部)を備えている。制御部２０は、コントローラ４のコマンドに応じて機器全体を制御する。デコーダ２１は、オーディオソース２（ＦＬＡＣファイルなど）を入力してストリーミング信号にデコードする。このストリーミングのオーディオ信号は、高品質（１９２ｋｂｐｓ／２４ビット）のものである。デコードされたオーディオ信号はバッファ２３に入力されるとともに、サンプリングレートコンバータ２２に入力される。サンプリングレートコンバータ２２は、入力された高品質のオーディオ信号（１９２ｋｂｐｓ／２４ビット）を中品質のオーディオ信号（４８ｋｂｐｓ／１６ビット）に変換する。変換されたオーディオ信号はバッファ２４に入力される。
【００１９】
バッファ２３（２４）は図３に示すように、メモリ２３０（２４０）、書込制御部２３１（２４１）、読出制御部２３２（２４２）を有している。メモリ２３０（２４０）は、デュアルポートＳＲＡＭであり、一方のポートから書込制御部２３１（２４１）がオーディオ信号の書き込みを行い、もう一方のポートから読出制御部２３２（２４２）が書き込まれたオーディオ信号を読み出す。書き込みおよび読み出しの手順の詳細は、図４を参照して後述する。信号出力部２５は、バッファ２３から読み出された高品質のオーディオ信号をパワードスピーカ１１に向けて出力する。信号出力部２５とパワードスピーカ１１とはデジタルケーブルで接続されており、遅延のない高速・高品質の信号伝送が可能である。無線ＬＡＮ通信部２６は、バッファ２４から読み出された中品質のオーディオ信号をネットワーク３（無線ＬＡＮ）を経由してスレーブ機器１２に送信する。上述したようにスレーブ機器１２との通信はユニキャストで行われるため、無線ＬＡＮ通信部２６は、スレーブ機器１２の台数分のオーディオ信号をネットワーク３に送出する。このため、ネットワーク３を経由したスレーブ機器１２へのオーディオ信号の伝送は、デジタルケーブルを経由したパワードスピーカ１１への伝送に対して信号の遅延が発生する。バッファ２３，２４は、この遅延を吸収してパワードスピーカ１１およびスレーブ機器１２で同期再生を可能にしている。
【００２０】
バッファ２３は高品質のオーディオ信号をバッファするため、メモリ２３０も大容量である。バッファ２４のメモリ２４０は、音質にあわせた容量に設定されている。デコーダ２１およびサンプリングレートコンバータ２２からバッファ２３，２４へは、同じ時刻のオーディオ信号が並行して入力される。デコーダ２１およびサンプリングレートコンバータ２２の処理速度はオーディオ信号の再生速度よりも速いため、デコーダ２１およびサンプリングレートコンバータ２２は、バッファ２３，２４のバッファ量を見ながら適宜動作する。例えば、バッファ量が減少すると書込制御部２３１、２４１がデコーダ２１およびサンプリングレートコンバータ２２に対してバッファアンダーラン警告を出力し、これに合わせてデコーダ２１、サンプリングレートコンバータ２２が処理を再開する。読出制御部２３２、２４２は、オーディオ信号の再生速度でオーディオ信号をメモリ２３０、２４０から読み出し、後段の信号出力部２５および無線ＬＡＮ通信部２６にそれぞれ出力する。なお、バッファ２３と２４から単位時間あたりに読み出されるデータ量、単位時間の再生のために必要なデータ量はオーディオ信号のビットレート、量子化ビット数などの違いにより異なるため、書込制御部２３１，２４１、読出制御部２３２，２４２は、その大きさを考慮して、それぞれ異なる書込／読出ポインタ制御が必要となる。
【００２１】
図４を参照してバッファ２３，２４にバッファされるオーディオ信号の読み出しの方式について説明する。図４（Ａ）は、読み出し方式の基本形態を示している。図４（Ａ）の上図において、バッファ２３の読出制御部２３２は、時刻Ｔ１（第１読出位置）のオーディオ信号を読み出している。信号出力部２５−パワードスピーカ１１の信号伝送系（系統Ａ）はほぼ遅延がないため、Ｔ１は、ほぼその時点での放音再生位置である。すなわち、Ｔ１の時刻でＴ１の位置にあるオーディオ信号が放音再生されている。一方、図４（Ａ）の下図において、バッファ２４の読出制御部２４２は、Ｔ１よりもＴｄ先行する（後で再生される）時刻Ｔ２（第２読出位置）のオーディオ信号を読み出している。無線ＬＡＮ通信部２６−スレーブ機器１２の信号伝送系（系統Ｂ）は、若干の遅延が発生するため、その遅延時間Ｔｄだけ先行したオーディオ信号を読み出してスレーブ機器１２に送信することにより、パワードスピーカ１１とスレーブ機器１２で同期したオーディオ信号の再生が可能になる。この場合、時刻Ｔ２以降で系統Ａと系統Ｂとで揃ってバッファ２３のＴ２位置以降のオーディオ信号を再生することになる。遅延は、無線ＬＡＮの輻輳、再送制御、および、廉価なスレーブ機器１２のスループットなどによって発生する。同期再生中には、デコーダ２１およびサンプリングレートコンバータ２２の間欠動作によってバッファ２３，２４のデータバッファ量が変動するが、読出位置Ｔ１とＴ２との時間差がＴｄである状態が維持されて読み出しが継続する。
【００２２】
図４（Ｂ）は、同期再生のスタート時の処理を説明する図である。オーディオソース２の再生開始時（例えば、曲の最初）からパワードスピーカ１１およびスレーブ機器１２で同期再生を行う場合、同図の処理が行われる。まず、再生開始に先立って、系統Ａのバッファ２３に遅延時間Ｔｄ分の無音データ（０データ）を書き込む。これは曲の先頭で、すなわち、それより前のオーディオ信号が無い時点で系統Ａの読出位置Ｔ１を系統Ｂの読出位置Ｔ２からＴｄ遡った位置に同期させるためである。こののち再生開始に必要な最低限のオーディオ信号がバッファされるとＴ１位置から無音データの読み出し（再生）がスタートする。Ｂ系統のバッファ２４はオーディオ信号の先頭から読み出しを開始し、系統Ａのバッファ２３はそれよりもＴｄ遡った無音データの先頭から読み出しを開始する。系統Ａのパワードスピーカ１１は、無音データをＴｄ時間再生したのち実際のオーディオ信号の先頭が再生される。また、スレーブ機器１２ではバッファ２４から読み出されたオーディオ信号の先頭が伝送や再生のためにＴｄ時間遅延して再生が開始される。これにより、パワードスピーカ１１とスレーブ機器１２でこれ以降同期した再生が行われる。
【００２３】
図４（Ｃ）、（Ｄ）は、パワードスピーカ１１（系統Ａ）がオーディオ信号を再生していた場合に、途中からスレーブ機器１２（系統Ｂ）の同期再生を開始させる場合の処理を示している。図４（Ｃ）は、オーディオ信号が十分にバッファされており、パワードスピーカ１１での再生を継続しながらスレーブ機器１２での同期再生を開始できる場合の読み出し形態を示している。図４（Ｄ）は、オーディオ信号のバッファ量が十分でなく、パワードスピーカ１１での再生を一時中断してスレーブ機器１２との同期再生を開始する場合の読み出し形態を示している。なお、スレーブ機器１２の再生が行われていない場合でも、バッファ２４にはサンプリングレートコンバータ２２からオーディオ信号が継続的に書き込まれており、バッファされたオーディオ信号は読み出されないまま古いものから順に捨てられて（上書きされて）いる。
【００２４】
図４（Ｃ）においては、信号出力部２５からパワードスピーカ１１に向けてオーディオ信号を出力しているときに、コントローラ４からスレーブ機器１２での再生指示が入力されると、そのときのバッファ２３の読出位置を参照し、その位置からＴｄ分先行する位置から、バッファ２４の読み出しを開始する。その読出位置以前のバッファ２４のバッファデータは破棄する。バッファ２４から読み出されたオーディオ信号がネットワーク３経由でスレーブ機器１２に送信されることにより、パワードスピーカ１１の再生音が途切れることなく、スレーブ機器１２において途中（時刻Ｔ２以降）から同期再生が開始される。
【００２５】
図４（Ｄ）において、信号出力部２５からパワードスピーカ１１に向けてオーディオ信号を出力している途中でコントローラ４からスレーブ機器１２での再生指示が入力されたときのバッファ２３、２４のバッファ量が、同期再生を開始するための量に不足していた場合には、以下の処理を行う。すなわち、そのときのバッファ２３の読出位置Ｔ３から、バッファ２４においてＴｄだけ先行させると最低バッファ分を確保できない場合、バッファ２４の読出位置Ｔ２（第２読出位置）を最低バッファ位置Ｔ２に設定する。そうすると、バッファ２３の読出位置は、Ｔ２からＴｄさかのぼった位置であるＴ１となるが、その位置のオーディオ信号は既に読み出している。そこで、Ｔ３から今回移動させた読出位置Ｔ１まで無音データを書き足す。そして、バッファ２３，２４で読出位置Ｔ１，Ｔ２から同時に読み出しを開始する。したがって、バッファ２３では、最初に短時間無音データが読み出され、パワードスピーカ１１では短時間音が途切れる。その後、パワードスピーカ１１でＴ３〜Ｔ２の時間に相当するオーディオ信号が単独で再生され、Ｔ２時刻以降パワードスピーカ１１、スレーブ機器１２で同期して再生が開始される。
【００２６】
遅延時間Ｔｄは、マスタ機器１０に工場出荷時に予め設定されていてもよく、ユーザが再生音を聴きながら同期ずれを推定して設定してもよい。また、マスタ機器１０、スレーブ機器１２で内部時刻の同期がとれている場合には、オーディオ信号の再生時刻（絶対時刻）をタイムスタンプで付加しておけば、遅延時間Ｔｄの設定は高精度でなくてもよくなる。
【００２７】
上記実施形態において、もし、系統Ａと系統Ｂのビットレートや量子化ビット数が同じであれば、バッファを１つ設け、系統Ａ側と系統Ｂ側が別々のアドレスからバッファデータを読み出すようにしてもよい。
【００２８】
上記実施形態において、パワードスピーカ１１はデジタルケーブルでマスタ機器１０に接続されているが、パワードスピーカ１１もスレーブ機器１２と同様に（スレーブ機器２の一つとして）、ネットワーク３でマスタ機器１０に接続されてもよい。
【００２９】
図４（Ｄ）において、バッファ２３，２４のバッファ量が不足する場合、バッファ２３に無音データを書き込んでいるが、デコーダ２１およびサンプリングレートコンバータ２２を起動して十分なオーディオ信号のバッファ量がたまってから（図４（Ｃ）の状態になってから）同期再生をスタートさせてもよい。
【符号の説明】
【００３０】
１  オーディオシステム
１０  マスタ機器
１１  パワードスピーカ
１２  スレーブ機器
２３、２４  バッファ
【図１】
0006519336.tif 000002
【図２】
0006519336.tif 000003
【図３】
0006519336.tif 000004
【図４】
0006519336.tif 000005